(57)【特許請求の範囲】
【請求項１】
取付部材の内部と外部とを区画する本体部と、この本体部から前記取付部材の外部に向けて延設され電線が挿通される電線挿通部と、この電線挿通部の端部に設けられ前記電線の外周に密着するシール部とを備えたグロメットであって、
前記電線挿通部には、前記シール部から露出する前記電線の外周を覆うように配置される保護部が延設され、
前記保護部は、前記シール部側と反対側の外径が前記シール部側の外径より小さく設定されていることを特徴とするグロメット。
【請求項２】
請求項１記載のグロメットであって、
前記電線挿通部は、前記本体部に複数設けられ、
前記複数の電線挿通部にそれぞれ設けられた保護部は、前記複数の電線挿通部にそれぞれ設けられた前記シール部のうち最大径の前記シール部より外径が小さく設定されていることを特徴とするグロメット。
【請求項３】
請求項１又は２記載のグロメットを用いたワイヤハーネスであって、
前記保護部から露出する電線の外周には、保護部材が配置され、前記保護部材には、前記保護部の端部側が挿入されていることを特徴とするワイヤハーネス。
【発明の詳細な説明】
【技術分野】
【０００１】
本発明は、車両に適用されるグロメット及びこのグロメットを用いたワイヤハーネスに関する。
【背景技術】
【０００２】
従来、グロメットとしては、取付部材の内部と外部とを区画する本体部としてのパネル取付部と、このパネル取付部から取付部材の外部に向けて延設され電線が挿通される電線挿通部と、この電線挿通部の端部に設けられ電線の外周に密着するシール部としての厚肉部とを備えたものが知られている（例えば、特許文献１参照）。
【０００３】
このグロメットでは、電線の外周に密着する厚肉部の密着する面を平滑面とすることにより、広い範囲で電線の外周面を押圧することができ、止水性を向上させている。
【先行技術文献】
【特許文献】
【０００４】
【特許文献１】特開２０１２−２３５６４０号公報
【発明の概要】
【発明が解決しようとする課題】
【０００５】
ところで、上記特許文献１のようなグロメットでは、電線挿通部のシール部が設けられた端部から露出する電線の外周に、電線を車体や機器などの他部品との干渉などから保護するために、テープ巻きが施されている。
【０００６】
しかしながら、グロメットから露出する電線の外周にテープ巻きを施す作業は、複数回の巻き回し作業が必要であり、取付作業性が低下していた。また、グロメットを保持する治具との干渉を避けながらテープ巻きを行う場合には、さらに取付作業性が低下していた。
【０００７】
そこで、この発明は、グロメットから露出する電線を保護することができ、取付作業性を向上することができるグロメット及びこのグロメットを用いたワイヤハーネスの提供を目的としている。
【課題を解決するための手段】
【０００８】
請求項１記載の発明は、取付部材の内部と外部とを区画する本体部と、この本体部から前記取付部材の外部に向けて延設され電線が挿通される電線挿通部と、この電線挿通部の端部に設けられ前記電線の外周に密着するシール部とを備えたグロメットであって、前記電線挿通部には、前記シール部から露出する前記電線の外周を覆うように配置される保護部が延設され、前記保護部は、前記シール部側と反対側の外径が前記シール部側の外径より小さく設定されていることを特徴とする。
【０００９】
このグロメットでは、電線挿通部に、シール部から露出する電線の外周を覆うように配置される保護部が延設されているので、グロメットから露出する電線の外周にテープ巻きを施す必要がなく、取付作業性を向上することができる。
【００１０】
また、保護部は、シール部から露出する電線の外周を覆うように配置されればよいので、保護部の形状を簡素化することができ、グロメットの製造コストを低コスト化することができる。
【００１１】
従って、このようなグロメットでは、保護部によってテープ巻きを施す必要がなく、グロメットから露出する電線を保護することができ、取付作業性を向上することができる。
また、このグロメットでは、保護部が、シール部側と反対側の外径がシール部側の外径より小さく設定されているので、保護部のシール部側と反対側の肉厚がシール部側の肉厚より薄く設定されている。
このため、保護部のシール部側と反対側は、保護部のシール部側より剛性が低下され、治具などによる保護部の拡径作業を行い易く、電線挿通部に保護部を延設させたとしても、取付作業性の低下を抑制することができる。
【００１２】
請求項２記載の発明は、請求項１記載のグロメットであって、前記電線挿通部は、前記本体部に複数設けられ、前記複数の電線挿通部にそれぞれ設けられた保護部は、前記複数の電線挿通部にそれぞれ設けられた前記シール部のうち最大径の前記シール部より外径が小さく設定されていることを特徴とする。
【００１３】
このグロメットでは、複数の電線挿通部にそれぞれ設けられた保護部が、複数の電線挿通部にそれぞれ設けられたシール部のうち最大径のシール部より外径が小さく設定されているので、保護部の端部側を保護部材に挿入する場合、保護部材に対する挿入作業を容易に行えることができ、さらに取付作業性を向上することができる。
【００１７】
請求項３記載の発明は、請求項１又は２記載のグロメットを用いたワイヤハーネスであって、前記保護部から露出する電線の外周には、保護部材が配置され、前記保護部材には、前記保護部の端部側が挿入されていることを特徴とする。
【００１８】
このワイヤハーネスでは、保護部材に、保護部の端部側が挿入されているので、電線挿通部と保護部材との間に露出する電線に対してテープ巻きを施す必要がなく、取付作業性を大幅に向上することができる。
【発明の効果】
【００１９】
本発明によれば、グロメットから露出する電線を保護することができ、取付作業性を向上することができるグロメット及びこのグロメットを用いたワイヤハーネスを提供することができるという効果を奏する。
【図面の簡単な説明】
【００２０】
【図１】本発明の実施の形態に係るグロメットの斜視図である。
【図２】本発明の実施の形態に係るグロメットの断面図である。
【図３】本発明の実施の形態に係るワイヤハーネスの側面図である。
【図４】本発明の実施の形態に係るグロメットの要部拡大断面図である。
【図５】本発明の実施の形態に係る他例のグロメットの斜視図である。
【図６】本発明の実施の形態に係る他例のグロメットの断面図である。
【発明を実施するための形態】
【００２１】
図１〜図６を用いて本発明の実施の形態に係るグロメット及びこのグロメットを用いたワイヤハーネスについて説明する。
【００２２】
本実施の形態に係るグロメット１は、取付部材（不図示）の内部と外部とを区画する本体部３と、この本体部３から取付部材の外部に向けて延設され電線５が挿通される電線挿通部７と、この電線挿通部７の端部に設けられ電線５の外周に密着するシール部９とを備えている。
【００２３】
そして、電線挿通部７には、シール部９から露出する電線５の外周を覆うように配置される保護部１１が延設されている。
【００２４】
また、電線挿通部７は、本体部３に複数設けられ、複数の電線挿通部７，７にそれぞれ設けられた保護部１１，１１は、複数の電線挿通部７，７にそれぞれ設けられたシール部９，９のうち最大径のシール部９より外径が小さく設定されている。
【００２５】
さらに、保護部１１は、シール部９側と反対側の外径がシール部９側の外径より小さく設定されている。
【００２６】
また、グロメット１を用いたワイヤハーネス１０１は、保護部１１から露出する電線５の外周に、保護部材２１が配置され、保護部材２１には、保護部１１の端部側が挿入されている。
【００２７】
ここで、本実施の形態に係るグロメット１は、例えば、電線５としての撚線からなる芯線の外周を絶縁被覆した電線が挿通される。この電線５は、車室外（被水領域）に配索されている。なお、電線５は、１本のみで構成されても、複数本を束ねた束で構成されてもよい。
【００２８】
この車室外（被水領域）に配索された電線５は、取付部材としての車体フレームやケーシングなどに設けられた取付孔に組付けられるグロメット１を介して車室内（防水領域）に導かれており、グロメット１によって車室外（被水領域）と車室内（防水領域）とが区画されて防水されている。以下、図１〜図４を用いて本実施の形態に係るグロメット１及びこのグロメット１を用いたワイヤハーネス１０１について詳細に説明する。
【００２９】
図１〜図４に示すように、グロメット１は、本体部３と、電線挿通部７と、シール部９と、保護部１１とを備えている。
【００３０】
本体部３は、ゴムなどの弾性材料からなり、円筒状に形成され、取付部材としての車体フレームやケーシングなどに設けられた取付孔（不図示）に組付けられる。また、本体部３には、取付部材の壁面に密着し、取付部材の内部（防水領域）と外部（被水領域）とを区画するリップ部１３が周方向の全域に連続して設けられている。
【００３１】
この本体部３のリップ部１３近傍には、周方向の全域に連続して凹状に形成された取付部１５が設けられている。この取付部１５に取付孔の縁部を嵌合させることにより、グロメット１が取付部材に固定される。なお、本体部３の内部に取付孔の縁部に係止される係止部を有するインナ部材を一体に設け、このインナ部材を介してグロメット１を取付部材に固定させてもよい。
【００３２】
このような本体部３は、取付部１５に取付孔の縁部を嵌合させることにより、リップ部１３が取付部材の壁面に密着されるように取付部材に固定され、取付部材の内部（防水領域）と外部（被水領域）とを区画し、取付部材の内部（ここでは車室内：防水領域）を防水する。このような本体部３の中心部には、電線挿通部７が設けられている。
【００３３】
電線挿通部７は、連結部１９を介して本体部３と連続する一部材で形成され、本体部３から取付部材の外部（ここでは車室外：被水領域）側に向けて円筒状に延設されている。
【００３４】
この電線挿通部７は、本体部３の中央部に複数（ここでは２箇所）設けられている。これら２つの電線挿通部７，７は、それぞれ径が異なり、径の異なる電線５，５がそれぞれ挿通される。このような電線挿通部７，７には、シール部９がそれぞれ設けられている。
【００３５】
シール部９は、電線挿通部７の長さ方向に複数配置され、電線挿通部７の内周面に周方向に連続して形成された突条となっている。このシール部９の内周面は、電線５の外周面に密着し、電線５と電線挿通部７との間を防水する。
【００３６】
このようなシール部９は、電線挿通部７の端部に設けることが有効であり、電線挿通部７の端部にシール部９を設けることによって、電線挿通部７内に水などが侵入することを確実に防止することができる。
【００３７】
このため、複数のシール部９のうち電線挿通部７の最端部に位置するシール部９は、電線挿通部７の外周面に連続して形成された突条を有しており、シール部９の内周面と電線５の外周面との接圧が確保されている。
【００３８】
このようなシール部９を端部に有する電線挿通部７から外部に露出する電線５は、車体や機器などの他部品との干渉などから電線５を保護する必要がある。このため、グロメット１から露出する電線５の外周には、コルゲートチューブなどの保護部材２１が配置されている。このような保護部材２１とグロメット１とを合わせてワイヤハーネス１０１となっている。
【００３９】
ところで、従来のワイヤハーネスにおいて、グロメット１の電線挿通部７と保護部材２１との間に位置する電線５は、外部に露出されている。このため、従来では、電線挿通部７から露出する電線５に対してテープ巻きを施し、このテープ巻き部分が保護部材２１内に所定長さ配置されるように、テープ巻き部分と保護部材２１とをオーバーラップさせていた。
【００４０】
しかしながら、テープ巻き部分を保護部材２１にオーバーラップさせるワイヤハーネスでは、保護部材２１の位置をずらしてその状態を治具などで保持すると共に、グロメット１の本体部３の位置を治具などで保持した状態で、治具などとの干渉を避けながらテープ巻きを施す必要があり、取付作業性が低下していた。
【００４１】
加えて、テープ巻き部分が保護部材２１内に所定長さ配置されるように、電線５の外周にテープ巻きを施さなければならないので、テープの巻き回し回数の管理も煩雑であり、さらに取付作業性が低下していた。
【００４２】
そこで、本実施の形態に係るワイヤハーネス１０１において、グロメット１の電線挿通部７の端部には、保護部１１が電線挿通部７と一体的に設けられている。
【００４３】
保護部１１は、保護部材２１内に所定長さ配置されるように、電線挿通部７のシール部９が設けられた端部から保護部材２１側に向けて電線挿通部７と連続する一部材で筒状に延設されている。なお、保護部１１は、電線５の外周を保護できる材質であれば、電線挿通部７と同じ材料を用いる必要はなく、電線挿通部７と異なる材料であってもよい。
【００４４】
この保護部１１は、電線挿通部７の最端部に位置するシール部９から露出する電線５の外周を覆うように配置され、端部側が保護部材２１内に所定長さ配置されるように、保護部材２１とオーバーラップして配置される。
【００４５】
このように電線挿通部７の端部に保護部１１を一体的に設けることにより、電線挿通部７と保護部材２１との間に位置する電線５に対してテープ巻きを施す必要がなく、大幅に取付作業性を向上することができる。
【００４６】
なお、グロメット１の電線挿通部７から露出する電線５に対して保護部材２１を配置させずにテープ巻きのみを施す場合であっても、保護部１１を設けることにより、グロメット１の本体部３を保持する治具などとの干渉を避けながらテープ巻きを施す必要がなく、大幅に取付作業性を向上することができる。加えて、テープの巻き回し回数も削減でき、さらに取付作業性を向上することができる。
【００４７】
一方、複数の保護部１１，１１のそれぞれの外径は、複数の電線挿通部７，７にそれぞれ設けられたシール部９，９のうち最大径のシール部９（ここでは図２の右側の電線挿通部７に設けられたシール部９）の外径より小さく設定されている。
【００４８】
ここで、保護部１１が設けられていないワイヤハーネスの場合、電線挿通部７から露出する電線５に対してテープ巻きを施すときには、電線挿通部７の端部側の外周にもテープ巻きを施す必要がある。
【００４９】
このように電線挿通部７の外周にテープ巻きを施した場合には、電線５の外周を覆うテープ巻き部分の外周が電線挿通部７より大きくなる可能性があり、テープ巻き部分の端部側を保護部材２１内に挿入する作業が困難となる恐れがあった。
【００５０】
これに対してワイヤハーネス１０１では、保護部１１，１１の外径が最大径のシール部９、すなわち最大径の電線挿通部７の外径より小さく設定されているので、保護部１１，１１の端部側の保護部材２１内への挿入作業を容易に行うことができる。
【００５１】
加えて、グロメット１の電線挿通部７から露出する電線５に対して保護部材２１を配置させずにテープ巻きのみを施す場合であっても、テープ巻き部分の外径が大きくなることがなく、テープの長さを削減することができる。
【００５２】
なお、保護部１１，１１の外径は、最大径のシール部９の外径より小さく設定されればよいので、例えば、保護部１１，１１の外径が最小径のシール部９（ここでは図２の左側の電線挿通部７に設けられたシール部９）より大きく設定されてもよい。
【００５３】
このように保護部１１，１１の外径を設定した場合であっても、保護部１１，１１の外径が最大径のシール部９の外径より大きくなることがなく、保護部１１，１１の端部側の保護部材２１内への挿入作業を容易に行うことができる。
【００５４】
一方、保護部１１は、シール部９側と反対側の外径がシール部９側の外径より小さくなるように、シール部９側（電線挿通部７側）から反対側（端部側）に向けて外径が縮径するようにテーパ状に形成されている。
【００５５】
このように保護部１１を形成させることにより、保護部１１のシール部９側と反対側の肉厚がシール部９側の肉厚より薄く形成され、保護部１１のシール部９側と反対側がシール部９側より剛性が低下される。
【００５６】
このため、電線挿通部７から保護部１１を延設させたとしても、電線挿通部７と保護部１１とを治具などで拡径させる際に、大きな力を必要とすることがなく、取付作業性の低下を抑制することができる。
【００５７】
なお、小さな径を有する保護部１１では、端部の外径に突条が設けられているが、これは、保護部１１の端部がめくれることを防止するものであり、設ける必要がなければ、設けなくともよい。
【００５８】
このようなグロメット１では、電線挿通部７に、シール部９から露出する電線５の外周を覆うように配置される保護部１１が延設されているので、グロメット１から露出する電線５の外周にテープ巻きを施す必要がなく、取付作業性を向上することができる。
【００５９】
また、保護部１１は、シール部９から露出する電線５の外周を覆うように配置されればよいので、保護部１１の形状を簡素化することができ、グロメット１の製造コストを低コスト化することができる。
【００６０】
従って、このようなグロメット１では、保護部１１によってテープ巻きを施す必要がなく、グロメット１から露出する電線５を保護することができ、取付作業性を向上することができる。
【００６１】
また、複数の電線挿通部７，７にそれぞれ設けられた保護部１１，１１は、複数の電線挿通部７，７にそれぞれ設けられたシール部９，９のうち最大径のシール部９より外径が小さく設定されているので、保護部１１，１１の端部側の外周にテープ巻きを施す場合、テープの長さを削減できる。
【００６２】
加えて、保護部１１，１１の端部側を保護部材２１に挿入する場合には、保護部材２１に対する挿入作業を容易に行えることができ、さらに取付作業性を向上することができる。
【００６３】
さらに、保護部１１は、シール部９側と反対側の外径がシール部９側の外径より小さく設定されているので、保護部１１のシール部９側と反対側の肉厚がシール部９側の肉厚より薄く設定されている。
【００６４】
このため、保護部１１のシール部９側と反対側は、保護部１１のシール部９側より剛性が低下され、治具などによる保護部１１の拡径作業を行い易く、電線挿通部７に保護部１１を延設させたとしても、取付作業性の低下を抑制することができる。
【００６５】
また、ワイヤハーネス１０１では、保護部材２１に、保護部１１の端部側が挿入されているので、電線挿通部７と保護部材２１との間に露出する電線５に対してテープ巻きを施す必要がなく、取付作業性を大幅に向上することができる。
【００６６】
なお、本発明の実施の形態に係るグロメット１では、電線挿通部７が本体部３に２箇所設けられているが、これに限らず、図５，図６に示すグロメット１ａのように、本体部３に対して１箇所に電線挿通部７を設けてもよい。
【００６７】
このようなグロメット１ａの電線挿通部７に設けられた保護部１１であっても、グロメット１ａから露出する電線の外周にテープ巻きを施す必要がなく、取付作業性を向上することができる。
【００６８】
なお、本発明の実施の形態に係るグロメットでは、電線挿通部に設けられたシール部が本体部側と反対側の端部に設けられているが、これに限らず、シール部を本体側にも設ける、或いは電線挿通部の全域にシール部を設けてもよい。
【００６９】
また、保護部は、シール部側と反対側の外径が小さくなるようにテーパ状に設けられているが、これに限らず、肉厚が電線挿通部の肉厚より薄肉となるように設定し、外径が電線挿通部の外径より小さくなるように長さ方向に肉厚が均一となるように延設された保護部であってもよい。
【００７０】
さらに、電線挿通部は、本体部に２箇所、或いは１箇所設けられているが、これに限らず、電線挿通部を本体部に２箇所以上設けてもよい。
【符号の説明】
【００７１】
１，１ａ…グロメット
３…本体部
５…電線
７…電線挿通部
９…シール部
１１…保護部
２１…保護部材
１０１…ワイヤハーネス
【図１】
0006422257.tif 000002
【図２】
0006422257.tif 000003
【図３】
0006422257.tif 000004
【図４】
0006422257.tif 000005
【図５】
0006422257.tif 000006
【図６】
0006422257.tif 000007